(57)【特許請求の範囲】
【請求項１】
直管形ランプの一端側の口金部を収容し、ソケット端子を介して直管形ランプに給電する防水ソケットであって、
前記ソケット本体の前側に、円筒状の第１の壁部によって形成された、直管形ランプの一端側の口金部を収容する凹部と、
前記凹部底面を貫通して形成された、直管形ランプのランプピンが挿通する一対の貫通孔と、
前記ソケット本体の裏面側の貫通孔を挟んで設けられた第２の壁部の間に形成された、前記ソケット端子を夫々保持するための一対のソケット端子保持部と、
前記ソケット本体の裏面側に設けられ、前記ソケット端子保持部と直交する方向に延設された第３の壁部の間に形成された一対の接続線保持部と、
を有するソケット本体と、
前記ソケット本体の裏面側の一対のソケット端子保持部と一対の接続線保持部とを覆う、有底円筒状の蓋体と、
前記ソケット本体の第１の壁部と嵌合し、一部が前記ソケット本体の前側に突出した状態で装着される円筒状の防水体と、
を備え、
前記ソケット端子において、一の接続線と他の接続線が接続されていることを特徴とする防水ソケット。
【請求項２】
前記防水体は、シリコーンゴムから形成されていることを特徴とする請求項１記載の防水ソケット。
【請求項３】
前記ソケット本体及び前記蓋体は熱可塑性合成樹脂からなり、
前記ソケット本体の裏面側には、
前記第２の壁部の外周側端部と前記第３の壁部の外周側端部を連結する、円筒状に形成された第４の壁部と、前記接続線保持部の中央部に、前記第３の壁部と平行に形成された第５の壁部と、
を有し、
前記蓋体の底面部には、
前記第３の壁部、第４の壁部、第５の壁部の対応する位置に形成され、第３の壁部、第４の壁部、第５の壁部と溶着される突起部を有していることを特徴とする請求項１または請求項２記載の防水ソケット。
【請求項４】
前記請求項１乃至請求項３のいずれかに記載された防水ソケットと、
前記直管形ランプ本体を収容、保持する保持部材と、を備え、
前記保持部材は、取付け面に固定される固定部と、直管形ランプ本体の外周部を把持する円弧状部と、前記固定部と円弧状部を連結する首部と、を有していることを特徴とする照明装置。
【発明の詳細な説明】
【技術分野】
【０００１】
本発明は、防水ソケット及び照明装置に関し、特に直管形ＬＥＤランプに装着される、防水機能を有する防水ソケット及びこの防水ソケットを用いた照明装置に関する。
【背景技術】
【０００２】
今日、各種施設や家庭の照明装置として、直管形ＬＥＤランプが用いられており、この直管形ＬＥＤランプの照明装置としては、例えば、特許文献１に記載された照明装置が提案されている。図８及び図９に基づいて特許文献１に記載された照明装置について説明する。
【０００３】
図８に示すように、直管形ランプ用の照明装置５０は、直管形ＬＥＤランプ５１と、前記直管形ＬＥＤランプ５１を装着する照明器具５２とを備えている。
前記照明器具５２は、直管形ランプ５１の一端側の第１の口金部５１ａ（図９参照）と当接して給電する防水ソケット５３を備えている。また、照明器具５２は、直管形ランプ５１の他端側の第２口金部と当接して直管形ランプ５１を保持する第２口金部用の防水ソケット５４を備えている。この防水ソケット５３，５４は、照明器具５２の長手方向の両端部に直管形ランプ５１を保持できるように照明器具５２の本体から突出して設けられている。
【０００４】
そして、図９（ａ）に示すように、直管形ランプ５１を防水ソケット５３に装着する際には、予め、シール材５５および締付カバー５６に直管形ランプ５１を挿通させる。
次に、直管形ランプ５１の一対の第１ランプピン５１ｂ，５１ｂを、防水ソケット５３の挿入口５３ａ，５３ａ内に挿入させる。前記第１ランプピン５１ｂ，５１ｂは、第１挿入口５３ａ、５３ａからソケット本体５３の内部に挿入されて、ソケット端子と接触して保持される。
即ち、前記防水ソケット５３は、一対のソケット端子が直管形ランプ５１の２本の第１ランプピン５１ｂ，５１ｂと各別に電気的に接続されるとともに、直管形ランプ５１を機械的に保持する。これにより、防水ソケット５３側から直管形ランプ５１の発光ダイオードに直流電流を供給する。
【０００５】
次に、図９（ｂ）および図９（ｃ）に示すように、直管形ランプ５１を挿通した、シール材５５をソケット本体５３側に移動させる。更に、図９（ｄ）に示すように、防水ソケット５３の外周囲に、一対の分割リング５７，５７を合わせて筒状体とし、取り付ける。この筒状体は、シール材５５を覆ってシール材５５を収容する。
更に、図９（ｅ）に示すように、直管形ランプ５１を挿通した、シール材５５、分割リング５７を合わせた筒状体を、締付カバー５６で覆って締付カバー５６をソケット本体５３側と螺合する。
なお、図示していないが直管形ランプ５１の第２口金部側は、防水ソケット５３と同様に形成された防水ソケット５４が装着され、直管形ランプ５１が保持される。
【０００６】
また、特許文献１に示された照明装置は、図１０（ａ）（ｂ）に示すように、外部電源５９に接続され、防水ソケット５３側から直管形ランプ５１の発光ダイオードに直流電流を供給する。
ここで、複数の直管形ランプ５１を接続する方法として、図１０（ａ）に示すように、各防水ソケット５３の接続線５８Ａ、５８Ｂを、コネクタ５８Ｃを用いて順次結線し、外部電源５９に接続する方法、また図１０（ｂ）に示すように防水ソケット５３の夫々の接続線５８Ａ、５８Ｂをコネクタ５８ｃで纏めて結線し、外部電源５９に接続する方法が採用されている。
【先行技術文献】
【特許文献】
【０００７】
【特許文献１】特開２０１３−８９４５７公報
【発明の概要】
【発明が解決しようとする課題】
【０００８】
ところで、直管形ランプを、例えば野菜等を人工栽培する照明装置として用いる場合、栽培棚が数段積み重ねられる。そのため、薄型の照明装置である場合には栽培棚を増設できる等のメリットがあり、照明装置のより薄型化が望まされている。
これに対して、特許文献１に示された照明装置にあっては、図８に示すように、照明装置の取付け面から直管形ランプまで長さ寸法（距離）Ｔを有しており、薄型化の要求を満足させるものではなかった。
具体的には、照明装置を取り付ける取付け面から直管形ランプまで長さ寸法（距離）Ｔを考慮して、各栽培棚の間隔を大きくしなければならないという技術的課題があった。
【０００９】
また、特許文献１に示された照明装置にあっては、ソケット本体の防水をなすために、シール材、一対の分割リング、締付カバーを用いる必要があり、部品数が多く、組み立て作業が煩わしく、コストが嵩むという技術的課題があった。
【００１０】
更に、複数の直管形ランプを外部電源に接続する際には、接続線が多くなり、接続作業が煩わしく、コネクタを用いた場合にはコストが嵩むという技術的課題があった。
【００１１】
本発明は、上記技術的課題を解決するためになされたものであり、防水のための部品数が少なく、組み立て作業が容易で、コストの低減を図った防水ソケットを提供する。またこの防水ソケットを用いて、より薄型化した照明装置を提供することを目的とする。
【課題を解決するための手段】
【００１２】
上記目的を達成するためになされた本発明にかかる防水ソケットは、直管形ランプの一端側の口金部を収容し、ソケット端子を介して直管形ランプに給電する防水ソケットであって、前記ソケット本体の前側に、円筒状の第１の壁部によって形成された、直管形ランプの一端側の口金部を収容する凹部と、前記凹部底面を貫通して形成された、直管形ランプのランプピンが挿通する一対の貫通孔と、前記ソケット本体の裏面側の貫通孔を挟んで設けられた第２の壁部の間に形成された、前記ソケット端子を夫々保持するための一対のソケット端子保持部と、前記ソケット本体の裏面側に設けられ、前記ソケット端子保持部と直交する方向に延設された第３の壁部の間に形成された一対の接続線保持部と、を有するソケット本体と、前記ソケット本体の裏面側の一対のソケット端子保持部と一対の接続線保持部とを覆う、有底円筒状の蓋体と、前記ソケット本体の第１の壁部と嵌合し、一部が前記ソケット本体の前側に突出した状態で装着される円筒状の防水体と、を備え、前記ソケット端子において、一の接続線と他の接続線が接続されていることを特徴としている。
【００１３】
例えば、一対の接続線保持部のうち一の接続線保持部は、一の防水ソケットの接続線が収容され、他の接続線保持部は他の防水ソケットの接続線が収容され、前記ソケット端子において、一の防水ソケットの接続線と他の防水ソケットの接続線とが電気的に接続されている場合のように、ソケット端子において一の接続線と他の接続線が接続される。
そのため、複数の直管形ランプを外部電源に接続する際に、従来に比べ接続線を少なく、接続作業も容易で、コネクタを用いた場合に比べてコストを低減することができる。
また、ソケット本体の防水をなすために、ソケット本体の第１の壁部と嵌合し、一部が前記ソケット本体の前側に突出した状態で装着される円筒状の防水体を備えているため、部品数が少なく、容易に組み立てることができ、コストの低減を図ることができる。
【００１４】
また、前記防水体は、シリコーンゴムから形成されていることが望ましい。
このように、前記防水体は弾性を有するため、直管形ランプの外周面に密着し、より高い防水機能を発揮する。また防水体がシリコーンゴムから形成されているため、撥水性に優れ、より高い防水機能を発揮する。
尚、シリコーンゴムは、耐熱性、電気絶縁性に優れるため、防水ソケットの防水体としては好適である。
【００１５】
また、前記ソケット本体及び前記蓋体は熱可塑性合成樹脂からなり、前記ソケット本体の裏面側には、前記第２の壁部の外周側端部と前記第３の壁部の外周側端部を連結する、円筒状に形成された第４の壁部と、前記接続線保持部の中央部に、前記第３の壁部と平行に形成された第５の壁部と、を有し、前記蓋体の底面部には、前記第３の壁部、第４の壁部、第５の壁部の対応する位置に形成され、第３の壁部、第４の壁部、第５の壁部と溶着される突起部を有していることが望ましい。
【００１６】
このように、前記ソケット本体及び前記蓋体は熱可塑性合成樹脂からなり、前記蓋体の底面部には、接続線保持部及びソケット端子保持部を囲うように、第３の壁部、第４の壁部、第５の壁部と溶着される突起部が形成されているため、ソケット本体と前記蓋体との間から水が浸入するのを抑制することができる。
【００１７】
また、上記目的を達成するためになされた本発明にかかる照明装置は、前記防水ソケットと、前記直管形ランプ本体を収容、保持する保持部材と、を備え、前記保持部材は、取付け面に固定される固定部と、直管形ランプ本体の外周部を把持する円弧状部と、前記固定部と円弧状部を連結する首部と、を有していることを特徴としている。
【００１８】
このように、前記防水ソケットが、直管形ランプの一端側の口金部を収容し、ソケット端子を介して直管形ランプに給電する防水ソケットであるため、従来のような照明器具を設ける必要がなく、保持部材を天井等の取付け面に設置することで直管形ランプを保持することができる。
その結果、保持部材の長さ（高さ）を小さくすることにより、取付け面から直管形ランプまで長さ寸法を極力小さくすることができ、照明装置を人工栽培用の照明装置に用いる場合にも、各栽培棚の間隔をより小さくすることができ、好適に用いることができる。
【発明の効果】
【００１９】
本発明によれば、防水のための部品数が少なく、組み立て作業が容易で、コストの低減を図った防水ソケットを得ることができる。またこの防水ソケットを用いて、より薄型化した照明装置を得ることができる。
【図面の簡単な説明】
【００２０】
【図１】図１は、本発明にかかる防水ソケットの装着状態を示す斜視図である。
【図２】図２は、図１に示した防水ソケットの分解斜視図である。
【図３】図３は、図１に示した防水ソケットのソケット本体を示す図であって、（ａ）はソケット本体の裏面側を示す背面図、（ｂ）はソケット本体の表面側（前側）を示す斜視図、（ｃ）はソケット本体の側面側を示す斜視図である。
【図４】図４は、図１に示した防水ソケットの蓋体を示す図であって、（ａ）は蓋体の内側を示す底面図、（ｂ）は蓋体の表面側を示す正面図、（ｃ）は蓋体の側面側を示す斜視図である。
【図５】図５は、防水ソケットの結線状態を示す図であって、（ａ）はソケット本体の裏面側を示す背面図、（ｂ）はソケット本体の断面を示す断面図である。
【図６】図６は、防水ソケットの組み立て状態を示す図であって、（ａ）は防水ソケットの側面図、（ｂ）は防水ソケットの正面図である。
【図７】図７は、防水ソケット間の結線状態を示す配線図である。
【図８】図８は、従来の照明装置（防水ソケット）を示す斜視図である。
【図９】図９は、図８示した従来の照明装置（防水ソケット）の組み立て手順を示した斜視図である。
【図１０】図１０は、従来の防水ソケット間の結線状態を示す配線図である。
【発明を実施するための形態】
【００２１】
以下、本発明にかかる防水ソケット及びこの防水ソケットを用いた照明装置の一実施形態を図１乃至図９に基づいて説明する。
図１に示しように、本発明にかかる防水ソケット１は、直管形ランプ２０の一端側の口金部を収容し、直管形ランプ２０に給電する防水ソケット１である。いわゆる片側給電タイプの直管形ランプ２０に用いられる防水ソケットである。
尚、直管形ランプ２０としては、コンバータを内蔵した直管形ランプ、あるいはコンバータを内蔵しない直管形ランプ（例えば、ＪＥＬ８０１）のいずれにも用いることができる。
また、本発明にかかる防水ソケット１を用いた照明装置１０は、複数の防水ソケット１と、前記直管形ランプ本体２０を収容、保持する保持部材２１とを備えている。
【００２２】
前記保持部材２１は、天井等の取付け面に固定される固定部２１ａと、直管形ランプ２０の外周部を把持する円弧状部２１ｂと、前記固定部２１ａと前記円弧状部２１ｂを連結する首部２１ｃを有している。
前記の保持部材２１は、バネ性を有する一対の金属板から構成され、直管形ランプ２０外周部を保持する際には、前記保持部材２１（円弧状部２１ｃ）は外方向に拡開し、前記円弧状部２１ｃに直管形ランプ２０が収容され、保持される。即ち、直管形ランプ２０は天井等の取付け面に固定された保持部材２１によって保持され、吊り下げられる。
尚、前記首部２１ｃの長さ寸法は短い方が好ましいが、取付け面に直管形ランプ２０が近接し過ぎると、取り付け面が直管形ランプ２０からの熱の影響を受けるため、放熱を考慮して首部２１ｃの長さ寸法を決定するのが好ましい。
【００２３】
そして、前記保持部材２１に直管形ランプ２０が保持された状態において、直管形ランプ２０の一端側の口金部に防水ソケット１を装着することにより、直管形ランプ２０に給電される。
尚、図１に示しように、複数の直管形ランプ２０の間は接続線２２によって接続され、前記接続線２２の一端部は外部電源に接続されている。
【００２４】
更に前記防水ソケット１の構成を具体的に説明する。
本発明にかかる防水ソケット１は、図１、図２に示すように、ソケット本体２と、前記ソケット本体２の裏面側を覆う、有底円筒状の蓋体３と、前記ソケット本体１の外周面に装着され、ソケット本体１の表面側から突出する円筒状の防水体４とを備えている。
前記ソケット本体２及び蓋体３は、熱可塑性樹脂から成形されている。具体的には、アクリル(PMMA)、ポリアセタール(POM)、ポリアミド(PA)、ポリエチレン(PE)、ポリエチレンテレフタレート(PET)、ポリカーボネート(PC)、ポリスチレン(PS)、ポリフェニレンサルファイド(PPS)、ポリブチレンテレフタレート(PBT)、ポリプロピレン(PP)、ポリ塩化ビニル(PVC)、ABS樹脂、AS樹脂等を用いることができる。
【００２５】
前記ソケット本体２について更に詳しく述べる。
図３（ｂ）に示すように、ソケット本体２は、前記ソケット本体２の前側に、円筒状の第１の壁部２ａによって形成された凹部２ｂと、前記凹部２ｂの底面を貫通して形成された、前記直管形ランプ２０のランプピンが挿通する一対の貫通孔２ｃとを備えている。
この貫通孔２ｃは断面円形のものが図示しているが、特に断面円形のものに限定されるものではなく、直管形ランプ２０のランプピンの形状に対応した形状になされる。
【００２６】
また、図２、図３（ａ）に示すように、前記ソケット本体２の裏面側には、貫通孔２ｃを挟んで一対の第２の壁部２ｄが形成されている。この一対の第２の壁部２ｄによって、前記一対のソケット端子５を夫々保持するための一対の端子保持部２Ａが形成される。
即ち、この一対の端子保持部２Ａは、前記貫通孔２ｃに対応する位置に設けられ、前記ソケット端子５を第２の壁部２ｄ間に収容し、保持するように構成され、前記貫通孔２ｃを挿通したランプピンは端子保持部２Ａに保持されたソケット端子５に接続されるように構成されている。
【００２７】
また、前記ソケット本体２の裏面側には、前記端子保持部２Ａと直交し、左右方向に延びる一対の第３の壁部２ｅが形成されている。
この一対の第３の壁部２ｅによって接続線保持部２Ｂが形成される。即ち、接続線２２が一対の第３の壁部２ｅ間に収容し、保持するように構成されている。また、前記接続線保持部２Ｂはソケット本体２の左右両側に形成されている。
【００２８】
前記一対の接続線保持部２Ｂは、図３（ｃ）に示すように側面視上、円弧状の凹部として形成されている。
また、一対の接続線保持部２Ｂのうち一の接続線保持部２Ｂには、図２に示すように、一の防水ソケット１の接続線２２が収容され、他の接続線保持部２Ｂは他の防水ソケット１の接続線２２が収容される。また、一の防水ソケット１の接続線２２と他の防水ソケット１の接続線２２とは、ソケット端子５において、電気的に接続されている。
尚、図２では、左右夫々に２本接続線が図示されているが、夫々被覆され１本の接続線２２となされる。
【００２９】
また、前記ソケット本体２の裏面側には、前記第２の壁部２ｄの外周側端部と前記第３の壁部２ｅと外周側端部を連結する円弧状の第４の壁部２ｆとが形成されている。この円弧状の第４の壁部２ｆは、接続線保持部Ｂを除いて連なり、全体として円筒状になされる。そして、この第４の壁部２ｆの外周面に、蓋体３が嵌合するように構成されている。
更に、前記接続線保持部２Ｂの中央部に、前記第３の壁部２ｅと平行に第５の壁部２ｇが形成されている。この第５の壁部２ｇによって、一対のソケット端子５の間が分離され、接続線の接触が防止される。
【００３０】
次に、前記蓋体３について説明する。
前記蓋体３は、図４（ｃ）に示すように、前記ソケット本体２の裏面側の一対の端子保持部２Ａと接続線保持部２Ｂとを覆うように、有底円筒状に形成されている。即ち、第４の壁部２ｆの外周面と前記蓋体３の内周面が嵌合するように構成されている。
また、蓋体３の左右両側には、接続線２２が挿通する切欠き部３ａが形成されている。
【００３１】
また、前記蓋体３の底面部には、前記第３の壁部２ｅ、第４の壁部２ｆ、第５の壁部２ｇの対応する位置に突起部３ｂ、３ｃ、３ｄが形成され、第３の壁部２ｅ、第４の壁部２ｆ、第５の壁部２ｇと溶着されるように構成されている。前記溶着は、一般的に用いられている超音波溶着機によってなされる。
即ち、図５に示すように、一の接続線２２と他の接続線２２をソケット端子５に接続し、前記ソケット端子５をソケット端子保持部２Ａ，２Ａ、前記接続線２２を接続線保持部２Ｂ，２Ｂに収容する。
【００３２】
そして、図６に示すように、ソケット本体２に蓋体３を嵌合させ、超音波溶着機によって溶着する。この溶着の際、突起部３ｂ、３ｃ、３ｄが融け、ソケット本体２の第３の壁部２ｅ、第４の壁部２ｆ、第５の壁部２ｇに溶着される。
前記第３の壁部２ｅ、第４の壁部２ｆ、第５の壁部２ｇは、ソケット端子保持部２Ａ、接続線保持部２Ｂを囲っているため、ソケット端子保持部２Ａ，２Ａ、接続線保持部２Ｂ，２Ｂの水の浸入が防止される。
【００３３】
次に、前記防水体４について、図１、図２に基づいて説明する。
前記防水体４は円筒状に形成され、前記ソケット本体２の第１の壁部２ａの外周面と嵌合し、前記ソケット本体２の前側に突出した状態に取り付けられる。
即ち、直管形ランプ２０に防水ソケットを装着する際、前記防水体４の突出した部分は、直管形ランプ２０の本体外周面に密着し、水の浸入を防止する。そのため、防水体４は弾性体で形成され、前記防水体４の内径は、直管形ランプ２０の外径と同一、あるいは僅かに小さく形成される。
【００３４】
例えば、前記防水体は、天然ゴム、合成ゴム、エラストマー樹脂、シリコーンゴム等の弾性体から形成されている。特に、シリコーンゴムで形成されている場合には、撥水性、耐熱性、電気絶縁性に優れるため、防水ソケットの防水体としては好適である。
【００３５】
このような防水体４が用いられているため、従来のようなシール材、一対の分割リング、締付カバーを用いる場合に比べて、部品数の低減を図ることができ、また容易に組み立てることができ、またコストの低減を図ることができる。
【００３６】
更に、図７に結線状態を模式的に示すように、直管形ランプ２０の一端側の口金部に防水ソケット１を装着することにより、直管形ランプ２０に給電することができる。
即ち、一の防水ソケット１の接続線２２と他の防水ソケット１の接続線２２とは、ソケット端子５（図２参照）において、電気的に接続される。
したがって、複数の直管形ランプ２０に給電する場合にも、従来のようなコネクタを用いる必要もなく、各直管形ランプ２０からの接続線を纏めて結線する必要もないため、接続作業が容易で、コストの低減を図ることができる。
尚、直管形ランプ２０としては、前記したように外部電源５９を交流電源として、コンバータを内蔵した直管形ランプを用いても良く、あるいは外部電源５９を直流電源とし、コンバータを内蔵しない直管形ランプ（例えば、ＪＥＬ８０１）を用いても良い。
【００３７】
また、直管形ランプ２０は保持部材２１で保持されるため、従来のような照明器具を必要としないため、取付け面から直管形ランプ２０まで長さ寸法（距離）を小さくすることができ、人工栽培用の照明装置に好適に用いることができる。
【符号の説明】
【００３８】
１        防水ソケット
２        ソケット本体
２Ａ      ソケット端子保持部
２Ｂ      接続線保持部
２ａ      第１の壁部
２ｂ      凹部
２ｃ      貫通孔
２ｄ      第２の壁部
２ｅ      第３の壁部
２ｆ      第４の壁部
２ｇ      第５の壁部
３        蓋体
３ｂ      突起部
３ｃ      突起部
３ｄ      突起部
４        防水体
５        ソケット端子
【図１】
0006593792.tif 000002
【図２】
0006593792.tif 000003
【図３】
0006593792.tif 000004
【図４】
0006593792.tif 000005
【図５】
0006593792.tif 000006
【図６】
0006593792.tif 000007
【図７】
0006593792.tif 000008
【図８】
0006593792.tif 000009
【図９】
0006593792.tif 000010
【図１０】
0006593792.tif 000011